(57)【要約】【課題】十分な情報を感覚的に把握することが容易なグリーティングカード及びそのグリーティングカード収容ケースを提供する。【解決手段】基材１４１と折畳材１４２の間に視覚情報を担持する起立部材１４５を設け、折畳材１４２を起立させることによって起立部材１４５が立ち上がる情報担持ユニット１４、１３、１２、１１を複数重ね合わせてグリーティングカード１を構成する。ケース２からグリーティングカード１を引き出すことにより、情報担持ユニット１４、１３、１２、１１が順番に開いて、時系列を追った視覚情報が表示される。【選択図】図８
2020040387.tif 000002
【特許請求の範囲】
【請求項１】
シート状の基材と、
該基材に折り目を介して接続されたシート状の折畳材と、
前記基材と前記折畳材とが前記折り目で折り畳まれて重ねられた状態における内側対向面に配置され、前記基材に対する前記折畳材の起立角度に応じて、前記内側対向面から立ち上がる起立部材と、
前記起立部材に設けられ、視覚情報が担持された視覚情報表示部とを有する情報担持ユニットが、
前記基材と前記折畳材が重なっている方向に複数個重ね合わせられており、
重ね合された各情報担持ユニットが担持する視覚情報は、相互に関連性のある情報であることを特徴とするグリーティングカード。
【請求項２】
重ね合わされた情報担持ユニットにおいて、隣接する重ねられた情報担持ユニットの基材と折畳材とは、同一の部材で構成されている請求項１に記載のグリーティングカード。
【請求項３】
前記各情報担持ユニットが担持する視覚情報は、前記情報担持ユニットの重ね合わせられた順番に応じて連続した関連性を有する請求項１又は２に記載のグリーティングカード。
【請求項４】
前記起立部材は、折り畳まれた状態において前記折り目にたいして反対側に折り込まれた折込部材によって構成されている請求項１〜３のいずれか１に記載のグリーティングカード。
【請求項５】
前記相互に関連性のある視覚情報とは、特定の地域的範囲内に位置する場所の景色、景勝地、名勝地又は観光地を表す視覚情報、特定の地域的範囲内において作られる物産、食べ物又は料理、収穫される農産物及び採取される海産物を表す視覚情報、特定の経時的範囲内において生じる事象を表す視覚情報の内、１又は２以上を含む情報である請求項１〜４のいずれか１に記載のグリーティングカード。
【請求項６】
隣接する一対の情報担持ユニットにおいて、一方の情報担持ユニットの基材と、これに重なる他方の情報担持ユニットの折畳材との間で、一方には孔が形成され、他方の外側面には視覚情報が担持され、該視覚情報を前記孔を介して視認可能に構成されている請求項１〜５のいずれか１に記載のグリーティングカード。
【請求項７】
前記請求項１〜６に記載のいずれかのグリーティングカードを内側に収容する収容部と、
該収容部を閉じる蓋部と、
該蓋部の両端に渡って形成され、所定の間隔をあけて配置された切込みによって構成された一対の切り取り線と、
前記一対の切り取り線によって画成された切り取り部と、
前記切り取り部と前記グリーティングカードとを連結する連結索とを有することを特徴とするグリーティングカードを収容したグリーティングカード収容ケース。
【請求項８】
前記重ね合された複数の情報担持ユニットは、グリーティングカード収容ケースへの挿入方向に向けて、各折り目の位置が間隔を開けて配置されており、グリーティングカード収容ケースからグリーティングカードを引き出すことにより、順番に情報担持ユニットが開く構成となっている請求項７に記載のグリーティングカードを収容したグリーティングカード収容ケース。
【請求項９】
前記切り取り部には、情報担持ユニットが担持する情報に関連する情報が担持されている請求項７又は８に記載のグリーティングカードを収容したグリーティングカード収容ケース。
【発明の詳細な説明】
【技術分野】
【０００１】
この発明は、メッセージを記録して渡すグリーティングカード及びグリーティングカード収容ケースに係り、詳しくはカード上に立体的な仕掛けが表れるグリーティングカード及びそのグリーティングカードを収容したケースに関するものである。
【背景技術】
【０００２】
従来グリーティングカードは、例えば友人や顧客などに送られるカードであり、クリスマスや新年などの年中行事には、特に交わされることが多い。このカードには、伝えたい気持ちがしたためられた文章が記され、或いはイラスト、写真などが描かることもある。
グリーティングカードは、あらかじめ特定の図柄が印刷されているカードを選び、又はカードに文章や図柄を描いて作成される。作成されたグリーティナグカードは、封筒に入れて郵送などによって送られる。
近年のグリーティングカードには、折りたたまれたカードを広げると、折りたたまれた構造が、立体的に起立してカードの平面から手前に飛び出す仕掛けのあるものが提案されている。
【先行技術文献】
【特許文献】
【０００３】
【特許文献１】実用新案登録第３１９９００１号
【発明の概要】
【発明が解決しようとする課題】
【０００４】
従来のグリーティングカードでは、２つ折りのカードを開くと、立体的な仕掛けが、平面から飛び出すものはある。しかし、従来のグリーティングカードを送る者の意図を十分に表現することが難しかった。特にグリーティングカードは、カードにメッセージを視覚的に、或いは短文で簡潔的に表現することで、カードの受け手に対して送り手のメッセージを端的に伝えるための伝達手段である。
【０００５】
詳しい内容を表現する方法は、手紙となるが、従来のグリーティングカードでは、あまりに簡潔過ぎて、送り手のメッセージが十分に受け手に伝わらない、とった欠点があり、また、手紙のように文章によって表現したのでは、簡潔に受け手に伝わらない、といった問題があった。
【０００６】
特許文献１に記載の発明ように、グリーティングカードから、仕掛けが飛び出す構造では、平面的に表現された情報よりも、より詳しい情報を受け手に伝達することは可能である。しかし、立体的な仕掛けを受け手に視認させた後、新たな情報に発展させることはできず、伝達できる情報量は十分とは言えない。
【０００７】
この発明は、十分な情報を感覚的に把握することが容易なグリーティングカード及びそのグリーティングカード収容ケースを提供することを目的とする。
【課題を解決するための手段】
【０００８】
以上のような問題を解決する本発明は以下の構成を備える。
（１）シート状の基材と、
該基材に折り目を介して接続されたシート状の折畳材と、
前記基材と前記折畳材とが前記折り目で折り畳まれて重ねられた状態における内側対向面に配置され、前記基材に対する前記折畳材の起立角度に応じて、前記内側対向面から立ち上がる起立部材と、
前記起立部材に設けられ、視覚情報が担持された視覚情報表示部とを有する情報担持ユニットが、
前記基材と前記折畳材が重なっている方向に複数個重ね合わせられており、
重ね合された各情報担持ユニットが担持する視覚情報は、相互に関連性のある情報であることを特徴とするグリーティングカード。
【０００９】
（２）重ね合わされた情報担持ユニットにおいて、隣接する重ねられた情報担持ユニットの基材と折畳材とは、同一の部材で構成されている上記（１）に記載のグリーティングカード。
【００１０】
（３）前記各情報担持ユニットが担持する視覚情報は、前記情報担持ユニットの重ね合わせられた順番に応じて連続した関連性を有する上記(１)又は（２）に記載のグリーティングカード。
【００１１】
（４）前記起立部材は、折り畳まれた状態において前記折り目にたいして反対側に折り込まれた折込部材によって構成されている上記(１)〜(３)のいずれか１に記載のグリーティングカード。
【００１２】
（５）前記相互に関連性のある視覚情報とは、特定の地域的範囲内に位置する場所の景色、景勝地、名勝地又は観光地を表す視覚情報、特定の地域的範囲内において作られる物産、食べ物又は料理、収穫される農産物及び採取される海産物を表す視覚情報、特定の経時的範囲内において生じる事象を表す視覚情報の内、１又は２以上を含む情報である上記(１)〜(４)のいずれか１に記載のグリーティングカード。
【００１３】
（６）隣接する一対の情報担持ユニットにおいて、一方の情報担持ユニットの基材と、これに重なる他方の情報担持ユニットの折畳材との間で、一方には孔が形成され、他方の外側面には視覚情報が担持され、該視覚情報を前記孔を介して視認可能に構成されている上記（１）〜（５）のいずれか１に記載のグリーティングカード。
【００１４】
（７）上記(１)〜(６)に記載のいずれかのグリーティングカードを内側に収容する収容部と、
該収容部を閉じる蓋部と、
該蓋部の両端に渡って形成され、所定の間隔をあけて配置された切込みによって構成された一対の切り取り線と、
前記一対の切り取り線によって画成された切り取り部と、
前記切り取り部と前記グリーティングカードとを連結する連結索とを有することを特徴とするグリーティングカードを収容したグリーティングカード収容ケース。
【００１５】
（８）前記重ね合された複数の情報担持ユニットは、グリーティングカード収容ケースへの挿入方向に向けて、各折り目の位置が間隔を開けて配置されており、グリーティングカード収容ケースからグリーティングカードを引き出すことにより、順番に情報担持ユニットが開く構成となっている上記（７）に記載のグリーティングカードを収容したグリーティングカード収容ケース。
【００１６】
（９）前記切り取り部には、情報担持ユニットが担持する情報に関連する情報が担持されている上記(７)又は(８)に記載のグリーティングカードを収容したグリーティングカード収容ケース。
【発明の効果】
【００１７】
請求項１に記載の発明によれば、折畳材を開くことにより、基材と折畳材との間から起立部材が立ち上がり、起立部材に設けられた視覚情報表示部の視覚情報を視認可能となる。複数重ねられた情報担持ユニットを構成する折畳材を順番に開くと、起立部材が順に立ち上がり、各情報担持ユニットの視覚情報が順に視認でき、複数の情報担持ユニットの有する視覚情報によって構成される相互に関連のある纏まった情報を、カードの受け手に伝えることができる。
【００１８】
請求項２に記載の発明によれば、隣接する重ねられた情報担持ユニットの基材と折畳材とは、同一の部材で構成されているので、
請求項３に記載の発明によれば、前記各情報担持ユニットが担持する視覚情報は、前記情報担持ユニットの重ね合わせられた順番に応じて連続した関連性を有しているので、経時的要素を含む情報を表示できる。
【００１９】
請求項４に記載の発明によれば、折畳材を起立させると折り目に対して反対側に折り込まれていることにより、折込部材が起立し、起立部材が立ち上がる。これにより、立体的な視覚情報を表現することができる。
請求項５に記載の発明によれば、特定の地域的範囲内に位置する場所の景色、景勝地、名勝地又は観光地を表す視覚情報を担持することによって、その特定地域を訪問したことを、暗示的に表現することができる。特定の地域的範囲内において作られる物産、食べ物又は料理、収穫される農産物及び採取される海産物を表す視覚情報を担持することによって、その特定位置に訪問したことを暗示できるとともに、その表示された産物を味わい、或いは経験したことを、暗示的に表現することができる。特定の経時的範囲内において生じる事象を表す視覚情報を表す情報を担持することによって、時間の経過とともに経験した事柄を、暗示的に表現することができる。
【００２０】
請求項６に記載の発明によれば、一方の情報担持ユニットに形成された孔を介して他方の情報担持ユニットに記載された視覚情報を視認できるので、２つの情報担持ユニットに担持された視覚情報を合成することによって、より広範な情報をグリーティングカードに持たせることができる。
請求項７に記載の発明によれば、切り取り部を切り取り線で切り取って、ケースから切り離すと、連結索によって収容されているグリーティングカードをケースから引っ張り出すことが容易となる。
【００２１】
請求項８に記載の発明によれば、複数の情報担持ユニットは、グリーティングカード収容ケースへの挿入方向に向けて、各折り目の位置が間隔を開けて配置されているので、グリーティングカードをケースから引き出すと、引き出し量に応じて、最も手前に折り目がある情報担持ユニットの折畳材から順に開かれる。
請求項９に記載の発明によれば、切り取り部に情報担持ユニットが担持する情報に関連する情報が担持されているので、受け手は、グリーティングカードの内容を予測することができ、また、より詳しい情報を表現することができる。
【図面の簡単な説明】
【００２２】
【図１】本発明のグリーティングカードのケースから引き出した状態を示す全体斜視図である。
【図２】本発明のグリーティングカードの全体斜視図である。
【図３】本発明のグリーティングカードのケースから引き出した状態を示す全体斜視図である。
【図４】本発明のグリーティングカードのケースから引き出した状態を示す全体斜視図である。
【図５】本発明のグリーティングカードのケースから引き出した状態を示す全体斜視図である。
【図６】本発明のグリーティングカード収容ケースの全体斜視図である。
【図７】本発明のグリーティングカードのケースから引き出した状態を示す全体斜視図である。
【図８】本発明のグリーティングカードのケースから引き出した状態を示す全体斜視図である。
【図９】本発明の他の構成例を示すグリーティングカードの全体斜視図である。
【図１０】本発明の他の構成例を示すグリーティングカードを開いた状態を示す全体斜視図である。
【図１１】本発明の他の構成例を示すグリーティングカードを開いた最初の頁を示す全体斜視図である。
【図１２】本発明の他の構成例を示すグリーティングカードを開いた２頁目を示す全体斜視図である。
【図１３】本発明の他の構成例を示すグリーティングカードを開いた３頁目を示す全体斜視図である。
【図１４】本発明の他の構成例を示すグリーティングカードを開いた４頁目を示す全体斜視図である。
【図１５】本発明の他の構成例を示すグリーティングカードを開いた状態において、他の視覚情報の表示例を示す全体斜視図である。
【図１６】本発明の他の構成例を示すグリーティングカードの分解斜視図である。
【図１７】本発明の他の構成例を示すグリーティングカードを開いた状態において、他の視覚情報の表示例を示す全体斜視図である。
【発明を実施するための形態】
【００２３】
以下、本発明の好適実施形態について、添付図面に基づいて詳説する。図１は、本発明のグリーティングカード１及びそのグリーティングカード収容ケース２を示す斜視図、図２は、グリーティングカード収容ケース２内に収容されている状態におけるグリーティングカード１を示す全体斜視図である。
【００２４】
グリーティングカード１は、相互に厚さ方向に重ねられた情報担持ユニット１１、１２、１３、１４を有している。各情報担持ユニットは、略同様の構成を備え、大きさが順に異なっている。いずれの情報担持ユニットも、シート状基材と、該基材に折り目を介して接続されたシート状の折畳材と、折り目に重なって設けられた折込部と、折込部に設けられた起立部材とを有している。
以下、それぞれの情報担持ユニットについて説明する。図２に示されているとおり、この実施形態の情報担持ユニット１１、１２、１３、１４は、それぞれ折り目１１０、１２０、１３０、１４０で折り畳まれた状態で、厚さ方向に重ねられており、第１情報担持ユニット１４、第２情報担持ユニット１３、第３情報担持ユニット１２、第４情報担持ユニット１１の順に、大きさが大きくなっている。そして、それぞれ折り目に対して対向する開口側端辺が揃った状態で、重ねられて貼り付けられている。
【００２５】
もっとも小さい第１情報担持ユニット１４は、矩形の基材１４１と、基材１４１の長辺に折り目１４０を介して接続された折畳材１４２と、折り目１４０の略中央部に設けられた折込部と、折込部に貼り付けられた起立部材１４５とを有している。折込部は、折り目１４０に直交する方向に形成された平行な一対の切込みによって形成された、起立部１４４と、架設部１４３とから構成され、起立部１４４と架設部１４３の間の折り目は、折り目１４０に対して反対方向に折り曲げられている。起立部１４４に起立部材１４５が取り付けられている。起立部材１４５には、視覚情報Ｆ１が表示されている。この実施形態では、視覚情報Ｆ１は、小魚の絵となっている。
【００２６】
起立部材１４５の小魚の絵において、小魚の口の部分には、糸１４６の一端が接続され、その糸の他端は、基材１４１の開口側端辺の中央部に接続されている。第１情報担持ユニット１４が折り畳まれた状態では、図２に示されているとおり、折込部は折り目１４０に対して反対側に折り畳まれているので、折込部の対応する位置には凹部１４７が形成される。
【００２７】
以上のような構成において、折畳材１４２を起立させると、折畳材の起立角度に応じて折込部の起立部１４４が起立し、同時に起立部材１４５が立ち上がる。折畳材１４２を基材１４１に対して９０度近くに起立させると、起立部材１４５に描かれている小魚Ｆ１も、基材１４１と折畳材１４２の内側面内から立体的に浮き上がった状態となる。基材１４１と折畳材１４２の内側面には、波の図柄や水中を示す図柄を描いておくことによって、あたかも小魚が水中を泳いでいるように表現することができる。このように、基材１４１と折畳材１４２の内側面にも、視覚情報を担持させる（表示させる）ことができるので、これらの内側面も視覚情報表示部として機能する。
【００２８】
第１情報担持ユニット１４の基材１４１は、その下側に重ねられている第２情報担持ユニット１３の折畳材１３２の外側面に貼り付けられている。図３に示されているように、２番目に小さい第２情報担持ユニット１３は、矩形の基材１３１と、基材１３１の長辺に折り目１３０を介して接続された折畳材１３２と、折り目１３０の略中央部に設けられた折込部（図示外）と、折込部に貼り付けられた起立部材１３５とを有している。折込部は、折り目１３０に直交する方向に形成された平行な一対の切込みによって形成された、起立部（図示外）と、架設部（図示外）とから構成され、起立部と架設部の間の折り目は、折り目１３０に対して反対方向に折り曲げられている。起立部に起立部材１３５が取り付けられている。起立部材１３５には、視覚情報Ｆ２が表示されている。この実施形態では、視覚情報Ｆ２は、小魚Ｆ１を飲み込もうとしている大きな魚の絵となっている。
【００２９】
起立部材１３５の小魚の絵において、小魚の口の部分には、糸１３６の一端が接続され、その糸の他端は、基材１３１の開口側端辺の中央部に接続されている。第２情報担持ユニット１３が折り畳まれた状態では、図２に示されているとおり、折込部は折り目１３０に対して反対側に折り畳まれているので、折込部の対応する位置には凹部１３７が形成される。
【００３０】
以上のような構成において、折畳材１３２を起立させると、折畳材の起立角度に応じて折込部の起立部が起立し、同時に起立部材１３５が立ち上がる。折畳材１３２を基材１３１に対して９０度近くに起立させると、起立部材１３５に描かれている小魚Ｆ１と大きな魚Ｆ２も、基材１３１と折畳材１３２の内側面内から立体的に浮き上がった状態となる。基材１３１と折畳材１３２の内側面には、波の図柄や水中を示す図柄を描いておくことによって、あたかも小魚と大きな魚が水中を泳いでいるように表現することができる。このように、基材１３１と折畳材１３２の内側面にも、視覚情報を担持させる（表示させる）ことができるので、これらの内側面も視覚情報表示部として機能する。
【００３１】
第２情報担持ユニット１３の基材１３１は、その下側に重ねられている第３情報担持ユニット１２の折畳材１２２の外側面に貼り付けられている。図４に示されているように、３番目に小さい第３情報担持ユニット１２は、矩形の基材１２１と、基材１２１の長辺に折り目１２０を介して接続された折畳材１２２と、折り目１２０の略中央部に設けられた折込部（図示外）と、折込部に貼り付けられた起立部材１２５とを有している。折込部は、折り目１２０に直交する方向に形成された平行な一対の切込みによって形成された、起立部（図示外）と、架設部（図示外）とから構成され、起立部と架設部の間の折り目は、折り目１２０に対して反対方向に折り曲げられている。起立部に起立部材１２５が取り付けられている。起立部材１２５には、視覚情報Ｆ３が表示されている。この実施形態では、視覚情報Ｆ３は、小魚Ｆ１を飲み込んでしまった大きな魚の絵となっている。
【００３２】
起立部材１２５の魚の絵において、魚の口の部分には、糸１２６の一端が接続され、その糸の他端は、基材１２１の開口側端辺の中央部に接続されている。そして、糸１２６の他端が接続されている位置には、後述する連結索２２２の一端が接続されている。
第３情報担持ユニット１２が折り畳まれた状態では、図２に示されているとおり、折込部は折り目１２０に対して反対側に折り畳まれているので、折込部の対応する位置には凹部１２７が形成される。
【００３３】
以上のような構成において、折畳材１２２を起立させると、折畳材の起立角度に応じて折込部の起立部が起立し、同時に起立部材１２５が立ち上がる。折畳材１２２を基材１２１に対して９０度近くに起立させると、起立部材１２５に描かれている小魚を食べた大きな魚Ｆ２も、基材１２１と折畳材１２２の内側面内から立体的に浮き上がった状態となる。基材１２１と折畳材１２２の内側面には、波の図柄や水中を示す図柄を描いておくことによって、あたかも小魚を食べた大きな魚が水中を泳いでいるように表現することができる。このように、基材１２１と折畳材１２２の内側面にも、視覚情報を担持させる（表示させる）ことができるので、これらの内側面も視覚情報表示部として機能する。
【００３４】
第３情報担持ユニット１２の基材１２１は、その下側に重ねられている第４情報担持ユニット１１の折畳材１１２の外側面に貼り付けられている。図５に示されているように、最も大きい第４情報担持ユニット１１は、矩形の基材１１１と、基材１２１の長辺に折り目１１０を介して接続された折畳材１１２と、折り目１１０の略中央部に設けられた折込部（図示外）と、折込部に貼り付けられた起立部材１１５とを有している。折込部は、折り目１１０に直交する方向に形成された平行な一対の切込みによって形成された、起立部（図示外）と、架設部（図示外）とから構成され、起立部と架設部の間の折り目は、折り目１１０に対して反対方向に折り曲げられている。起立部に起立部材１１５が取り付けられている。起立部材１１５には、視覚情報Ｆ４ｂ、Ｆ４ｄ、Ｆ４ｆ、Ｆ４ｋが表示されている。この実施形態では、視覚情報Ｆ４は、魚の骨Ｆ４ｂ、皿Ｆ４ｄ、ナイフＦ４ｋ、フォークＦ４ｆの絵となっている。起立部材１１５には、折り畳まれた状態で折り込まれる折り目１１５ａが設けられている。
【００３５】
第４情報担持ユニット１１が折り畳まれた状態では、図２に示されているとおり、折込部は折り目１１０に対して反対側に折り畳まれているので、折込部の対応する位置には凹部１１７が形成される。
以上のような構成において、折畳材１１２を起立させると、折畳材の起立角度に応じて折込部の起立部が起立し、同時に起立部材１１５が立ち上がる。折畳材１１２を基材１１１に対して９０度近くに起立させると、起立部材１１５に描かれている魚の骨Ｆ４ｂ等も、基材１１１と折畳材１１２の内側面内から立体的に浮き上がった状態となる。基材１１１と折畳材１１２の内側面にも、視覚情報を担持させる（表示させる）ことができるので、これらの内側面も視覚情報表示部として機能する。
【００３６】
この実施形態では、基材、折畳材、起立部材、ケースを構成する材料としては、紙が用いられるが、ある程度の剛性を有するシート材であれば、紙以外の材料でもよく、例えば、ビニール材や、プラスチック材などを用いることもできる。また、担持される視覚情報は、色彩、線図、文字、或いはこれらの組み合わせによって構成することができ、例えば、図形、絵、文などが挙げられている。起立部材１４５、１３５、１２５、１１５には、視覚情報の他、皮膚に接触させることによって、触覚に何らかの情報を伝える触感情報を担持させてもよい。例えば、粗さの度合を変化させたものや、凹凸、点字などである。
【００３７】
次に以上のように構成されたグリーティングカード１を収容するグリーティングカード収容ケース２について説明する。図６及び図７に示されているとおり、グリーティングカード１の形状に沿った形状を有するケース２は、本体２１の内側にグリーティングカード１を収容する収容部２７を有し、本体２１の側面部２５は、マチが設けられている。一方の長辺部２６には、長辺の淵に沿って形成された切り取り線２３ａ、２３ｂが設けられている。切り取り線２３ａは、長辺に重ねて設けられ、切り取り線２３ｂは、切り取り線２３ａに平行に設けられている。切り取り線２３ａ、２３ｂは、それぞれ複数の短い切込み２３ｃを等間隔で配置することによって構成されている。一対の切り取り線２３ａ、２３ｂの間に切り取り部２２が形成される。切り取り部２２には、グリーティングカード１の起立部材１４５、１３５、１２５、１１５に担持されている情報に関連のある情報が担持されている。この実施形態では、釣竿２２１が描かれている。
【００３８】
グリーティングカード１には、視覚情報として水中の魚が描かれており、切り取り部２２には、魚を釣り上げる道具である釣竿が、視覚情報として担持されている。釣竿の先端部分には、グリーティングカード１に一端が接続されている連結索２２２の他端が接続されている。切り取り部２２の一端が開け口２４となっており、この開け口２４を摘まんで剥がすことにより、切り取り部２２が切り取り線２３ａ、２３ｂに沿って、ケース２から破り取られる。
破り取った切り取り部２２には、連結索２２２が接続されているので、図７に示されているように、切り取り部２２を引っ張ることにより、グリーティングカード１をケース２の収容部２７から容易に引き出すことができる。
【００３９】
図８に示されているように、グリーティングカード１をケース２から引き出して行くと、第１情報担持ユニット１４〜第４情報担持ユニット１１の折り目１４０、１３０、１２０、１１０の順番でケース２の外側に引き出されるので、最初に第１情報担持ユニット１４の折畳材１４２が開かれ、次に第２情報担持ユニット１３の折畳材１３２、第３情報担持ユニット１２の折畳材１２２、第４情報担持ユニット１１の折畳材１１２の順番で開かれる。
このように順番に視覚情報が示されることによって、釣竿２２１で連れた小魚Ｆ１に、大きな魚Ｆ２が喰らいつき、その大きな魚は料理されて食べられてしまって骨Ｆ４になった、といった時系列を追った情報が、受け手に伝達される。
【００４０】
次に他の実施形態のグリーティングカード１Ａについて、図９〜図１５に基づいて説明する。グリーティングカード１Ａは、ケース３内に収容されており、ケース３に一体として取り付けられている。ケース３は、内側に収容しているグリーティングカード１Ａを外側から包み込む構成となっており、グリーティングカード１Ａと同じ大きさで同じ形状（この実施形態では矩形）の基体３１と、基体３１の１対の長辺に内蓋３２と外蓋３３が、折り曲げ自在に接続されている。内蓋３２は、グリーティングカード１Ａとおり、グリーティングカード１Ａと同じ大きさで同じ形状（この実施形態では矩形）の基体３１と、基体３１の１対の長辺に内蓋３２と外蓋３３が、折り曲げ自在に接続されている。
【００４１】
内蓋３２は、グリーティングカード１Ａと略同じ大きさに形成され、収容されているグリーティングカード１Ａの上に覆い被せられ、その上から外蓋３３が被せられる。外蓋３３の長さは、内蓋３２よりも少し短く形成されている。内蓋３２の折り目に近い位置には、内蓋３２の先端へ向けて凸状に湾曲した形状の切込３２２が形成されており、この切込３２２に外蓋３３の先端辺３３１が挿入される。凸状の湾曲部が外蓋３３の先端辺３３１に引っ掛かり、グリーティングカード１Ａは被包装状態となる。切込３２２の周囲には、切手貼付領域を示す線３２３ａ、３２３ｂが描かれている。線３２３ａは内蓋３２側に、線３２３ｂは外蓋３３側に設けられており、先端辺３３１を切込３２２に挿入した状態で、切手貼付領域が画成される構成となっている。この切手貼付領域に切手を貼ることによって、内蓋３２と外蓋３３の間に渡って切手が貼られ、ケース３が封されることとなる。
【００４２】
図１０に示されているように、基体３１の短辺には、折込片３１１、３１２が設けられ、これらの折込片３１１、３１２を、折り畳まれたグリーティングカード１Ａの上に覆い被せるように、内側に折り込み、内蓋３２と外蓋３３を封することで、グリーティングカード１Ａは、ケース３内に完全に収容される。
【００４３】
以上のようにしてケース３内に収容されるグリーティングカード１Ａは、相互に厚さ方向に重ねられた情報担持ユニット４０Ａ、４０Ｂ、４０Ｃ、４０Ｄを有している。各情報担持ユニットは、構成される部材としては略同様の構成を備えている。いずれの情報担持ユニットも、シート状基材と、該基材に折り目を介して接続されたシート状の折畳材と、折り目に重なって設けられた折込部と、折込部に設けられた起立部材とを有している。
【００４４】
以下、図１０に示されているとおり、この実施形態の情報担持ユニット４０Ａ、４０Ｂ、４０Ｃ、４０Ｄは、それぞれ折り目４１０、４２０、４３０、４４０で折り畳まれた状態で、厚さ方向に重ねられており、各情報担持ユニットは、それぞれ同じ大きさに構成されている。各情報担持ユニットは、下側の情報担持ユニットの折畳材の外側面に、上側に隣接する情報担持ユニットの基材の外側面が、順に接着された構成となっている。この実施形態では、最も上部に位置する情報担持ユニット４０Ａの折畳材４１の外側面には、ケース３の内蓋３２が貼り付けられており、最も下部に位置する情報担持ユニット４０Ｄの基材の外側面には、ケース３の基体３１が貼り付けられている。このようにして、グリーティングカード１Ａは、ケース３と一体となって構成されているが、ケース３に貼り付けられず、グリーティングカード１Ａがケース３から分離できる構成であってもよい。
【００４５】
各情報担持ユニット４０Ａ、４０Ｂ、４０Ｃ、４０Ｄの基材と折畳材の外側面を貼りあわせることによって、カード４１、４２、４３、４４、４５が構成される。そして、複数のカード４１、４２、４３、４４、４５の片側辺が綴じられた冊子が形成され、見開きページで順に見ることができるグリーティングカード１Ａが構成される。
【００４６】
それぞれの情報担持ユニットについて説明する。図１１に示されているように、情報担持ユニット４０Ａは、矩形の基材４２１と、基材４２１の長辺に折り目４１０を介して接続された折畳材４１２と、折り目４１０の略中央部に設けられた折込部５１１と、折込部５１１に貼り付けられた起立部材５１とを有している。折込部５１１は、折り目４１０を跨いで、基材４２１と折畳材４１２とに両端部が接着され、起立部５１１ａ、架設部５１１ｂを有している。起立部５１１ａは、基端部に接着部５１１ｓが接続され、該接着部５１１ｓを介して、基材４２１側に接着されている。架設部５１１ｂは、先端部に接着部５１１ｃが接続され、該接着部５１１ｃを介して折畳材４１２側に接着されている。起立部５１１ａには、起立部材５１が接着されている。
起立部５１１ａと架設部５１１ｂとは折り目を介して接続されており、その折り目は、基材４２１と折畳材４１２とが折り目４１０で折り畳まれている状態では、折り目４１０に対して反対方向に折り畳まれた状態となっている。
【００４７】
起立部材５１には、視覚情報として自動車の絵が描かれており、起立部材５１自体の形状も、自動車の絵に沿った輪郭に形成されている。折畳材４１２の内側面は視覚情報が示される領域となっている。そして、この領域には、視覚情報として海の景色が描かれており、太陽の絵４１２ａ、海原の絵４１２ｂ、雲の絵４１２ｃ、鳥の絵４１２ｄが配置され、更に、折り目４１０に近い位置には、ガードレールの絵４１２ｅが配置されている。描かれている絵の構図では、最も手前にガードレール４１２ｅが位置し、手前から順に海原４１２ｂ、鳥４１２ｄ、雲４１２ｃ、太陽４１２ａの順で景色が見えるような構図となっている。
【００４８】
一方、基材４２１の内側面は、視覚情報が示される領域となっており、この利用域には、折り目４１０が手前に向けて、視覚情報である道路の絵４２１ｃ、道路のセンターラインの絵４２１ｄ、さらにその手前に道路脇に生えている草の絵４２１ｂが描かれている。
このように、折畳材４１２と基材４２１に、上記のような絵が描かれていることによって、基材４２１に対して折畳材４１２を起立させることで、道路の向こう側に海が見える情景を立体的に表すことができ、さらに、起立部材５１の自動車が、道路を走る情景が表される。起立部材５１の自動車は、起立している折畳材４１２に対して、所定の距離（架設部材５１１ｂの長さ）を隔てて手前側に位置するため、立体感が増し、車窓から見える海の景色を立体的にイメージできる。
【００４９】
基材４２１の内側面の一部には、文字情報等を記入できる記入領域４２１ｄが設けられており、この領域には、文字情報や記号情報、イメージ情報などを手書きで記入する領域となっている。また、このような記入領域を特別に作らなくとも、任意の場所に手書きで情報を記入する構成であってもよい。この実施形態では、「夏休み、家族みんなでおばあちゃんのうちに遊びにいきました」と、手書きで記入されている。このような文章と、情報担持ユニット４０Ａ全体からあらわされる視覚情報から、自動車を運転して海の見える田舎にいったことが、暗示的に表現される。
【００５０】
図１２に示されているように、情報担持ユニット４０Ｂは、矩形の基材４３１と、基材４３１の長辺に折り目４２０を介して接続された折畳材４２２と、折り目４２０の略中央部に設けられた折込部５２１と、折込部５２１に貼り付けられた起立部材５２とを有している。折込部５２１は、折り目４２０を跨いで、基材４３１と折畳材４２２とに両端部５２１ｓ、５２１ｃが接着され、起立部５２１ａ、架設部５２１ｂを有している。起立部５２１ａは、基端部に接着部５２１ｓが接続され、該接着部５２１ｓを介して、基材４３１側に接着されている。架設部５２１ｂは、先端部に接着部５２１ｃが接続され、該接着部５２１ｃを介して折畳材４２２側に接着されている。起立部５２１ａには、起立部材５２が接着されている。
【００５１】
起立部５２１ａと架設部５２１ｂとは折り目を介して接続されており、その折り目は、基材４３１と折畳材４２２とが折り目４２０で折り畳まれている状態では、折り目４２０に対して反対方向に折り畳まれた状態となっている。
起立部材５２には、視覚情報として子供の後ろ姿で、虫取り網と虫籠を持った状態の絵が描かれており、起立部材５２自体の形状も、子供の姿の絵に沿った輪郭に形成されている。折畳材４２２の内側面は視覚情報が示される領域となっている。そして、この領域には、視覚情報として山の風景が描かれており、空に雲が描かれた絵４２２ａ、４２２ｂ、葉の付いた木の絵４２２ｃ、連なる山の絵４２２ｄ、山の間から流れ出る小川の絵４２２ｅが配置されている。描かれている絵の構図では、小川の絵４２２ｅは、手前に流れでるに従って川幅が漸増するように描かれており、遠近感が得られる絵となっている。
【００５２】
一方、基材４３１の内側面は、視覚情報が示される領域となっており、この利用域には、折り目４２０から手前に向けて流れる小川の絵４３１ｃ、小川の畔に生える草の絵４３１ｂが描かれている。基材４３１に描かれている小川の絵４３１ｃは、折畳材４２２の小川の絵４２２ｅと、折り目４２０を介して繋がっており、２つの小川の絵４２２ｅ、４３１ｃで、一つの小川が表現されている。そして、小川の絵４２２ｅは、起立している折畳材４２２に描かれているので、小川４２２ｅから小川４３１ｃへ（高所から低所へ）川が流れているように暗示される。
【００５３】
そして、川の畔には、虫とりをしている子供の絵５２が起立する。このような構図から、木の絵４２２ｃと虫取り網から、子供が虫取りをしていることが連想され、また、小川から魚釣りなどの川遊びをしていることも連想される。基材４３１の内側面の一部には、文字情報等を記入できる記入領域４３１ｄが設けられており、この領域には、文字情報や記号情報、イメージ情報などを手書きで記入する領域となっている。また、このような記入領域を特別に作らなくとも、任意の場所に手書きで情報を記入する構成であってもよい。この実施形態では、「セミやヤマメをたくさんつかまえました」と、手書きで記入されている。このような文章と、情報担持ユニット４０Ｂ全体からあらわされる視覚情報から、及びその前の情報担持ユニット４０Ａであらわされた情報から、自動車で田舎に行ったこどもは、山の中で、虫取りや川遊びをしたことが、暗示的に表現される。
【００５４】
図１３に示されているように、情報担持ユニット４０Ｃは、矩形の基材４４１と、基材４４１の長辺に折り目４３０を介して接続された折畳材４３２と、折り目４３０に設けられた折込部５３１と、折込部５３１に貼り付けられた起立部材５３とを有している。折込部５３１は、折り目４３０を跨いで、基材４４１と折畳材４３２とに両端部５３１ｓ、５３１ｃが接着され、起立部５３１ａ、架設部５３１ｂを有している。起立部５３１ａは、基端部に接着部５３１ｓが接続され、該接着部５３１ｓを介して、基材４４１側に接着されている。架設部５３１ｂは、先端部に接着部５３１ｃが接続され、該接着部５３１ｃを介して折畳材４３２側に接着されている。起立部５３１ａには、起立部材５３が接着されている。
【００５５】
起立部５３１ａと架設部５３１ｂとは折り目を介して接続されており、その折り目は、基材４４１と折畳材４３２とが折り目４３０で折り畳まれている状態では、折り目４３０に対して反対方向に折り畳まれた状態となっている。
起立部材５３には、視覚情報として皿に載っているスイカの絵が描かれており、起立部材５３自体の形状も、皿に載っているスイカの絵に沿った輪郭に形成されている。折畳材４３２の内側面は視覚情報が示される領域となっている。そして、この領域には、視覚情報として家の中ら庭を見た情景が描かれており、風鈴の絵４３２ａ、縁台の絵４３２ｂ、柱の絵４３２ｃ、柱に連なる壁の絵４３２ｄ、軒下に掛かっているスダレの絵４３２ｅ、縁台に載っている鉢植えの朝顔４３２ｆが配置されている。
【００５６】
一方、基材４４１の内側面は、視覚情報が示される領域となっており、この利用域には、折り目４３０から順に、縁側の絵４４１ｃ、畳の絵４４１ｂの順に描かれている。起立部材５３は、縁側４４１ｃの位置に配置されており、縁側に座ってスイカを食べる情景を暗示させるように構成されている。
基材４４１に対して折畳材４３２が起立することで、畳４４１ｂ敷きの部屋に対して、柱４３２ｃやスダレ４３２ｅが起立した状態となり、立体的な家屋の情景を暗示することができる。
基材４４１の内側面の一部には、文字情報等を記入できる記入領域４４１ａが設けられており、この領域には、文字情報や記号情報、イメージ情報などを手書きで記入する領域となっている。また、このような記入領域を特別に作らなくとも、任意の場所に手書きで情報を記入する構成であってもよい。この実施形態では、「えんがわで、とってもあまいスイカを食べました」と、手書きで記入されている。このような文章と、情報担持ユニット４０Ｃ全体からあらわされる視覚情報から、及びその前の情報担持ユニット４０Ａ、４０Ｂであらわされた情報から、自動車で田舎に行ったこどもは、山の中で、虫取りや川遊びをし、田舎のおばあちゃんの家では、スイカを食べたことが、暗示的に表現される。
【００５７】
図１４に示されているように、情報担持ユニット４０Ｄは、矩形の基材４５１と、基材４５１の長辺に折り目４４０を介して接続された折畳材４４２と、折り目４４０に設けられた折込部５４１と、折込部５４１に貼り付けられた起立部材５４とを有している。折込部５４１は、折り目４４０を跨いで、基材４５１と折畳材４４２とに両端部５４１ｓ、５４１ｃが接着され、起立部５４１ａ、架設部５４１ｂを有している。起立部５４１ａは、基端部に接着部５４１ｓが接続され、該接着部５４１ｓを介して、基材４５１側に接着されている。架設部５４１ｂは、先端部に接着部５４１ｃが接続され、該接着部５４１ｃを介して折畳材４４２側に接着されている。起立部５４１ａには、起立部材５４が接着されている。
【００５８】
起立部５４１ａと架設部５４１ｂとは折り目を介して接続されており、その折り目は、基材４５１と折畳材４４２とが折り目４４０で折り畳まれている状態では、折り目４４０に対して反対方向に折り畳まれた状態となっている。
起立部材５４には、視覚情報として列になって盆踊りを踊っている人影の絵が描かれており、起立部材５４自体の形状も、列になっている人影の絵に沿った輪郭に形成されている。この情報担持ユニット４０Ｄでは、折込部５４１は、左右両側に配置されている。
折畳材４４２の内側面は視覚情報が示される領域となっている。
【００５９】
そして、この領域には、視覚情報として盆踊りの情景が描かれており、櫓の上で太鼓を叩いている人の絵４４２ａ、櫓から伸びている縄に付けられた提灯の絵４４２ｂ、打ち上げられた花火の絵４４２ｃが配置されている。
一方、基材４５１の内側面は、視覚情報が示される領域となっており、この利用域には、金魚すくいの水槽の絵４５１ｂが描かれている。起立部材５４は、櫓の絵４４２ａの囲む位置に配置されており、櫓の周りを人が踊りながら回っている情景を暗示させるように構成されている。
【００６０】
基材４５１に対して折畳材４４２が起立することで、櫓を中心として、人が踊りながら回り、空には花火が上がっている情景を表すことができる。
基材４５１の内側面の一部には、文字情報等を記入できる記入領域４５１ａが設けられており、この領域には、文字情報や記号情報、イメージ情報などを手書きで記入する領域となっている。また、このような記入領域を特別に作らなくとも、任意の場所に手書きで情報を記入する構成であってもよい。この実施形態では、「お祭りで盆踊りをしました  花火もあがりました」と、手書きで記入されている。このような文章と、情報担持ユニット４０Ｄ全体からあらわされる視覚情報から、及びその前の情報担持ユニット４０Ａ、４０Ｂ、４０Ｃであらわされた情報から、自動車で田舎に行ったこどもは、山の中で、虫取りや川遊びをし、田舎のおばあちゃんの家では、スイカを食べ、田舎でのクライマックスは、盆踊りと花火であったことが、暗示的に表現される。
【００６１】
このように、一連の情報担持ユニット４０Ａ、４０Ｂ、４０Ｃ、４０Ｄであわされた相互に関連する視覚情報によって、田舎で体験したことを、時系列で、表すことができる。また、立体的に表現された視覚情報によって、より情緒深く表現することができる。
複数の情報担持ユニットで表現される情報は、その内容が相互に何らかの関連性を有するものとなっている。上記の実施形態の例では、夏休みに田舎に行った体験の内容が、時系列に沿って表され、１つのストーリを表現している。つまり夏休みの田舎での体験といった１つの時系列に沿った関連性を有している。
【００６２】
このような関連性は、時系列を有さなくてもよく、地域的な関連性であってもよい。地域的な関連性を有する視覚情報とは、例えば、特定の地域的範囲内に位置する場所の景色、景勝地、名勝地又は観光地を表す視覚情報である。具体的には、九州という地位的範囲内において、桜島、阿蘇山、軍艦島、高千穂峡、鬼の洗濯板に関する景色などの視覚的情報を表すことによって、相互に関連性を有する視覚的情報となる。これらの視覚的情報を各情報担持ユニットに表示することによって、グリーティングカード１Ａで、九州を旅したことを示すことができる。
【００６３】
また、特定の地域的範囲内において作られる物産、食べ物又は料理、収穫される農産物及び採取される海産物を表す視覚情報で、地域的な関連性を有する視覚情報として表示することができる。具体的には、瀬戸内という地位的範囲内において、香川県のうどん、広島のお好み焼き、岡山のきびだんご、兵庫の神戸牛ステーキなどに関する絵を、例えば起立部材に表示される視覚情報として表示し、基材や折畳材に表示する視覚情報として、各地域の景色を表示することで、ご当地の視覚情報を、特定の地域と関連付けて表示する。
このような視覚情報を、各情報担持ユニットにおいて表示することで、グリーティングカードから瀬戸内を旅行したことを印象付けることができる。
【００６４】
また、時系列的な関連性を示す例として、特定の経時的範囲内において生じる事象を表す視覚情報がある。例えば、子供の誕生、お宮参り、初節句、幼稚園の入学式といった、子供の成長を表すという点で関連性を有する。この他、地方に住んでいる両親に対して、都会に住んでいる子供が、都会での生活を示すために、グリーティングカードを送る場合には、都会での生活を示すといった関連性の下に、基材と折畳材に自宅の様子を背景として表し、食卓の内容を起立部材に表示した情報担持ユニット、会社で働いている様子を表示した情報担持ユニット、休日に買い物に行く近所のショッピングセンタの様子を表示した情報担持ユニット、夜の飲み会の様子を表示した情報担持ユニットを組み合わせることができる。
【００６５】
情報担持ユニットの視覚情報が相互に有する関連性とは、上記場合に限られず、順番に見開く情報担持ユニットの前後で関連性があればよく、複数の情報担持ユニットで共通の関連性がなくてもよい。例えば、最初に開いた情報担持ユニットには、老人が表示され、次に開いた情報担持ユニットには、桜が表示され、次に開いた情報担持ユニットには、花見の情景が表示され、最後に開いた情報担持ユニットには、お酒が表示される。これら４つの情報には関連性はないが、老人→花咲か爺さん→桜と、連想され、桜から花見の宴が連想され、花見の宴からお酒が連想される。このように、順に見開く情報担持ユニットの前後で関連性があればよい。
【００６６】
この実施形態のグリーティングカード１Ａにおける各記入領域は、記入領域が設けられている面の裏側面の折込部及び起立部材に対応する位置に重ならない位置に設けられている。このような位置にするすることにより、記入領域に文字等を記入する際、筆記具の先端が裏側の折込部などの凹凸に引っ掛かり、書き損じすることが抑制される。
なお、情報担持ユニットには、視覚情報のみでなく、評価情報を担持させてもよい。図１５は、情報担持ユニット４０Ｅの構成例を示す全体斜視図である。情報担持ユニット４０Ｅは、矩形の基材４７１と、基材４７１の長辺に折り目４６０を介して接続された折畳材４６２と、折り目４６０に設けられた折込部５５１と、折込部５５１に貼り付けられた起立部材５５とを有している。折込部５５１は、折り目４６０を跨いで、基材４７１と折畳材４６２とに両端部が接続され、起立部５５１ａ、架設部５５１ｂを有している。
【００６７】
起立部５５１ａと架設部５５１ｂとは折り目を介して接続されており、その折り目は、基材４７１と折畳材４６２とが折り目４６０で折り畳まれている状態では、折り目４６０に対して反対方向に折り畳まれた状態となっている。
起立部材５５には、視覚情報として鳥居の絵が描かれており、起立部材５５自体の形状も、鳥居の絵に沿った輪郭に形成されている。この情報担持ユニット４０Ｅでは、折込部５４１は、鳥居の２つの柱の左右基端部に配置されている。
折畳材４６２の内側面は視覚情報が示される領域となっている。そして、この領域には、視覚情報として海と陸の情景が描かれており、海の絵４６２ｄと、海の向こう側の山の絵４６２ａ、山の端から覗いている月の絵４６２ｂ、もみじの木の絵４６２ｃが配置されている。
【００６８】
一方、基材４５１の内側面は、視覚情報が示される領域となっており、この利用域には、海原４７１ａが描かれている。起立部材５４の鳥居は、海原４７１ａの中に位置している情景を示すように構成されている。
基材４７１に対して折畳材４６２が起立することで、海の中に鳥居が立っている情景を表すことができる。
基材４７１の内側面の一部には、文字情報等を記入できる記入領域４７１ｂが設けられており、この領域には、文字情報や記号情報、イメージ情報などを手書きで記入する領域となっている。また、記入領域４７１ｂには、もみじ饅頭の絵が付与されている。
【００６９】
また、このような記入領域を特別に作らなくとも、任意の場所に手書きで情報を記入する構成であってもよい。この実施形態では、「宮島でもみじ饅頭を食べました」と、手書きで記入されている。この情報担持ユニット４０Ｅでは、広島の厳島神社など、広島に関する景色や物産が表示されている。記入領域４７１ｂの近傍には、評価情報記入領域４７２が設けられている。評価情報記入領域４７２は、複数の評価部がもうけられ、評価部にチェックや、塗りつぶしをすることより、評価の内容が表示される。例えば、チェックを入れた評価部が多ければ、良い評価、少なければ悪い評価を表す。この他、評価部の数によって評価を表すのではなく、例えば、Ａ〜Ｅの文字が表示され、その中の１つの文字を丸で囲むことによって、評価を示す構成としてもよい。Ａが最も良い評価、Ｅが最も悪い評価を表す。
【００７０】
このような評価情報記入領域を設けることで、グリーティングカード１Ａの送り手の気持ちを、受け手に端的に表すことができる。
以上のような構成の他、グリーティングカードは、矩形のカードを複数枚重ねて、一辺を綴じた状態とし、その見開きページ（２頁分）に、視覚情報と、起立部材等を配置して情報担持ユニットを構成してもよい。この場合には、綴りを構成する１片のカードの両面に視覚情報が担持され、一片のカードが基材と折畳材の両方の機能を有することとなる。
【００７１】
次に、図１６及び図１７に基づいて、他の実施形態のグリーティングカード１Ｂの構成について説明する。グリーティングカード１Ｂは、情報担持ユニット６１、６２を複数重ねて構成されている点は、既述の実施形態のグリーティングカード１と同様である。隣接する情報担持ユニット６０Ａ、６０Ｂの各構成は、既述の情報担持ユニット４０Ａの構成と略同様である。情報担持ユニット６０Ａは、矩形の基材６２と、基材６２の長辺に折り目６１０を介して接続された折畳材６１と、折り目６１０において、両端から略同じ間隔で設けられた折込部７１１とを有している。折込部７１１は、折り目６１０を跨いで、基材６２と折畳材６１とに両端部が接着され、起立部７１１ａ、架設部７１１ｓを有している。
【００７２】
起立部７１１ａと架設部７１１ｓとは折り目を介して接続されており、その折り目は、基材６２と折畳材６１とが折り目６１０で折り畳まれている状態では、折り目６１０に対して反対方向に折り畳まれた状態となっている。
【００７３】
基材６２の内側面は、視覚情報が示される領域となっており、この利用域には、折り目６１０から手前に向けて、視覚情報である屋根の絵６２４、さらにその手前に窓の絵６２１、さらに左側手前にドアの絵６２２が描かれている。
なお、屋根の絵６２４を描かずに、起立部７１１ａ又は架設部７１１ｓに、屋根が描かれた起立部材を貼り付けてもよい。このようにすることで、より立体的にドアや窓のある建物を表すことができる。
【００７４】
窓の絵６２１は、その一部の輪郭（上辺、下辺及び中央の縦線）６２１ａが切込みとなっており、中央の縦線６２１ａも切込みとなっている。残りの輪郭（両端の縦線）が折れ線６２１ｂとなっており、窓の絵６２１が、折れ線６２１ｂで折り曲げられる折り曲げ片６２１ｃを構成している。ドアの絵６２２は、その一部の輪郭６２２ａが切込みとなっており、残りの輪郭部（右側縦辺）が折れ線６２２ｂとなっており、窓の絵６２１が、折れ線６２２ｂで折り曲げられる折り曲げ片６２２ｃを構成している。
【００７５】
情報担持ユニット６０Ｂは、情報担持ユニット６０Ａと同形状で同じ大きさの矩形の基材６３と、基材６４の長辺に折り目６３０を介して接続された折畳材６３とを有している。折畳材６３の外側面、すなわち情報担持ユニット６０Ａの基材６２の外側面と重ね合される面には、視覚情報が表示されている。その視覚情報は、引出台６３２の上に置いてある鉢植えの花の絵６３１と、テーブルの絵６３４と、その周囲に置かれている椅子の絵６３５、６３６、更に、女の子の絵６３３が絵かがれている。また、折畳材６３の外側面において、折り目６３０に沿って境界線６３０ｂが設けられ、折り目６３０と境界線６３０ｂの間が糊付け領域６３０ａとなっている。基材６２の外側面と、折畳材６３の外側面とを重ねて貼りあわせる場合には、折り目６３０と折り目６１０を重ねて、糊付け領域６３０ａにおいて両者が貼り付けられる。このような構成とすることによって、基材６２と折畳材６３の間にも、情報担持領域が形成される。
【００７６】
図１７に示されているとおり、基材６２と折畳材６３とが重ねられた状態で、基材６２の窓の絵６２１の位置に、折畳材６３の鉢植えの花の絵６３１が位置し、基材６２のドアの絵６２２の位置に、折畳材６３の女の子の絵６３３が位置する。そして、窓の絵６２１の折り曲げ片６２１ｃを開けると、孔６２１ｗが形成され、孔６２１ｗを介して鉢植えの花の絵６３１を視認できるように構成されている。また、ドアの絵６２２の折り曲げ片６２２ｃを開けると、孔６２２ｗが形成され、孔６２２ｗを介して女の子の絵６３３を視認できるように構成されている。このような構成とすることで、家の中に、女の子や鉢植えがあるように表示され、平面的な視覚情報から、前後に奥行きのある立体的情報を表すことができる。
【００７７】
また、折畳材６３から基材６２を捲り上げると、折畳材６３の外側面に表示さている家の中の状態を表す絵、例えば、引出台６３２、テーブルの絵６３４と、その周囲に置かれている椅子の絵６３５、６３６が表れる。このような構成によって、更に詳しく立体的な情報を表すことが可能となる。
【符号の説明】
【００７８】
１、１Ａ  グリーティングカード
１４〜１１、４０Ａ〜４０Ｅ、６０Ａ〜６０Ｂ  情報担持ユニット
１４０  折り目
１４１  基材
１４２  折畳材
１４５  起立部材
Ｆ１〜Ｆ４  視覚情報
２  グリーティングカード収容ケース
２２  切り取り部
２３ａ、２３ｂ  切り取り線
２７  収容部
【図１】
2020040387.tif 000003
【図２】
2020040387.tif 000004
【図３】
2020040387.tif 000005
【図４】
2020040387.tif 000006
【図５】
2020040387.tif 000007
【図６】
2020040387.tif 000008
【図７】
2020040387.tif 000009
【図８】
2020040387.tif 000010
【図９】
2020040387.tif 000011
【図１０】
2020040387.tif 000012
【図１１】
2020040387.tif 000013
【図１２】
2020040387.tif 000014
【図１３】
2020040387.tif 000015
【図１４】
2020040387.tif 000016
【図１５】
2020040387.tif 000017
【図１６】
2020040387.tif 000018
【図１７】
2020040387.tif 000019